(57)【要約】【課題】  Ｉ／Ｆ基板ごとに収容されている収容数を管理し、負荷を分散して収容を行うことが可能なボタン電話装置、電話交換装置、および収容方法を提供する。【解決手段】  Ｉ／Ｆ基板１，２，３（１１ａ、１１ｂ、１１ｃ）ごとの収容状況を収容先分析手段１２ａで分析し、収容数情報としてデータベース１３に記憶し、ＩＰ電話端末４０からの接続要求があった場合は、収容数情報に基づいて、Ｉ／Ｆ基板１，２，３（１１ａ、１１ｂ、１１ｃ）のうち、最も収容数の少ないＩ／Ｆ基板に収容する。【選択図】      図１
2007013522.tif 000002
【特許請求の範囲】
【請求項１】
電話端末を収容するための複数のインターフェース手段を備えたボタン電話装置であって、
前記複数のインターフェース手段ごとの収容状況を分析する分析手段と、
前記分析手段によって分析された収容状況を収容数情報として記憶する記憶手段と、
前記電話端末からの接続要求があった場合は、前記記憶手段に記憶されている収容数情報に基づいて、前記複数のインターフェース手段のうち、最も収容数の少ないインターフェース手段を選択する選択手段と、
前記選択手段によって選択されたインターフェース手段に接続要求があった前記電話端末を収容する収容手段と、
を具備することを特徴とするボタン電話装置。
【請求項２】
請求項１に記載のボタン電話装置において、
前記記憶手段には、前記複数のインターフェース手段が選択される優先度が優先度情報として設定されており、前記選択手段は、前記優先度情報に基づいて、収容するインターフェース手段を選択することを特徴とするボタン電話装置。
【請求項３】
請求項１に記載のボタン電話装置において、
前記電話端末は、ＩＰ電話端末であることを特徴とするボタン電話装置。
【請求項４】
請求項１に記載のボタン電話装置において、
前記収容数情報は、ＩＰ電話端末及びＩＰ−ＱＳＩＧの合計した収容数であることを特徴とするボタン電話装置。
【請求項５】
請求項２または３に記載のボタン電話装置において、
前記分析手段は、前記収容数情報に基づいて、前記複数のインターフェース手段のうち、前記ＩＰ−ＱＳＩＧが収容されているインターフェース手段の優先度情報を低く設定することを特徴とするボタン電話装置。
【請求項６】
請求項５に記載のボタン電話装置において、
前記分析手段は、前記収容数情報に基づいて、前記複数のインターフェース手段のうち、前記ＩＰ−ＱＳＩＧが収容されているインターフェース手段の優先度情報を、前記ＩＰ−ＱＳＩＧが収容されていないインターフェース手段の優先度情報よりも低く設定することを特徴とするボタン電話装置。
【請求項７】
ＩＰ電話端末及びＩＰ−ＱＳＩＧを収容するための複数のインターフェース手段を備えたボタン電話装置であって、
前記複数のインターフェース手段ごとに優先度を設定し、優先度情報として記憶手段に記憶する第１の記憶手段と、
前記複数のインターフェース手段ごとの収容状況を分析する分析手段と、
前記分析手段によって分析された収容状況をＩＰ電話端末及びＩＰ−ＱＳＩＧのそれぞれの収容数情報として記憶する第２の記憶手段と、
前記ＩＰ電話端末からの接続要求があった場合は、前記第２の記憶手段に記憶されている収容数情報に基づいて、ＩＰ電話端末とＩＰ−ＱＳＩＧとの収容数の合計数が最小のインターフェース手段を選択する第１の選択手段と、
前記第１の選択手段によって、２以上のインターフェース手段が選択された場合は、ＩＰ−ＱＳＩＧの収容数が最小のインターフェース手段を選択する第２の選択手段と、
前記第２の選択手段によって、２以上のインターフェース手段が選択された場合は、前記第１の記憶手段に記憶されている優先度情報に基づいて、優先度が高いインターフェース手段を選択する第３の選択手段と、
前記第３の選択手段によって選択されたインターフェース手段に接続要求があった前記ＩＰ電話端末を収容する収容手段と、
を具備することを特徴とするボタン電話装置。
【請求項８】
電話端末を収容するための複数のインターフェース手段を備えた電話交換装置であって、
前記複数のインターフェース手段ごとの収容状況を分析する分析手段と、
前記分析手段によって分析された収容状況を収容数情報として記憶する記憶手段と、
前記電話端末からの接続要求があった場合は、前記記憶手段に記憶されている収容数情報に基づいて、前記複数のインターフェース手段のうち、最も収容数の少ないインターフェース手段を選択する選択手段と、
前記選択手段によって選択されたインターフェース手段に接続要求があった前記電話端末を収容する収容手段と、
を具備することを特徴とする電話交換装置。
【請求項９】
請求項８に記載の電話交換装置において、
前記記憶手段には、前記複数のインターフェース手段が選択される優先度が優先度情報として設定されており、前記選択手段は、前記優先度情報に基づいて、収容するインターフェース手段を選択することを特徴とする電話交換装置。
【請求項１０】
請求項８に記載の電話交換装置において、
前記電話端末は、ＩＰ電話端末であることを特徴とする電話交換装置。
【請求項１１】
ＩＰ電話端末及びＩＰ−ＱＳＩＧを収容するための複数のインターフェース手段を備えた電話交換装置であって、
前記複数のインターフェース手段ごとに優先度を設定し、優先度情報として記憶する第１の記憶手段と、
前記複数のインターフェース手段ごとの収容状況を分析する分析手段と、
前記分析手段によって分析された収容状況をＩＰ電話端末及びＩＰ−ＱＳＩＧのそれぞれの収容数情報として記憶する第２の記憶手段と、
前記ＩＰ電話端末またはからの接続要求があった場合は、前記第２の記憶手段に記憶されている収容数情報に基づいて、ＩＰ電話端末とＩＰ−ＱＳＩＧとの収容数の合計数が最小のインターフェース手段を選択する第１の選択手段と、
前記第１の選択手段によって、２以上のインターフェース手段が選択された場合は、ＩＰ−ＱＳＩＧの収容数が最小のインターフェース手段を選択する第２の選択手段と、
前記第２の選択手段によって、２以上のインターフェース手段が選択された場合は、前記第１の記憶手段に記憶されている優先度情報に基づいて、優先度が高いインターフェース手段を選択する第３の選択手段と、
前記第３の選択手段によって選択されたインターフェース手段に接続要求があった前記ＩＰ電話端末またはを収容する収容手段と、
を具備することを特徴とする電話交換装置。
【請求項１２】
ＩＰ電話端末及びＩＰ−ＱＳＩＧを収容するための複数のインターフェース手段を備えた装置の収容方法であって、
前記複数のインターフェース手段ごとの収容状況を分析する分析ステップと、
前記分析ステップによって分析された収容状況をＩＰ電話端末及びＩＰ−ＱＳＩＧのそれぞれの収容数情報として前記記憶手段に記憶する記憶ステップと、
前記ＩＰ電話端末からの接続要求があった場合は、前記記憶手段に記憶されている収容数情報に基づいて、ＩＰ電話端末とＩＰ−ＱＳＩＧとの収容数の合計数が最小のインターフェース手段を選択する第１の選択ステップと、
前記第１の選択ステップによって、２以上のインターフェース手段が選択された場合は、ＩＰ−ＱＳＩＧの収容数が最小のインターフェース手段を選択する第２の選択ステップと、
前記記憶手段には、予め複数のインターフェース手段ごとに優先度が優先度情報として設定されており、前記第２の選択ステップによって、２以上のインターフェース手段が選択された場合は、前記記憶手段に記憶されている優先度情報に基づいて、優先度が高いインターフェース手段を選択する第３の選択ステップと、
前記第１乃至第３の選択ステップで選択されたインターフェース手段のうち、１つのインターフェース手段として特定されたインターフェース手段に、接続要求があった前記ＩＰ電話端末を収容する収容ステップと、
を含むことを特徴とする収容方法。
【発明の詳細な説明】
【技術分野】
【０００１】
この発明は、例えば電話端末を収容する複数のインターフェースを備えたボタン電話装置等に係り、特に、収容数の負荷に応じて収容先であるインターフェースを選択するボタン電話装置、電話交換装置、および収容方法に関する。
【背景技術】
【０００２】
近年、ボタン電話装置や電話交換装置において、ＩＰ電話端末との接続機能を備えるものが増えてきている。ＩＰ電話端末を収容する為に専用のインターフェース基板（以下、Ｉ／Ｆ基板）を用意し、収容するＩＰ電話端末の台数に応じて、そのインターフェース基板を複数具備することとなる。なお、このＩ／Ｆ基板は、ＩＰ−ＱＳＩＧの収容も可能となっている。
【０００３】
上述したボタン電話装置や電話交換装置では、ＩＰ電話端末を収容する手段として、以下の３つの方法が取られている。
【０００４】
第１の方法は、ＩＰ電話端末へ付与する内線番号に対して収容するＩ／Ｆ基板を保守端末で指定する方法である。
【０００５】
第２の方法は、ＩＰ電話端末へ付与する内線番号に対して収容するＩ／Ｆ基板を保守端末では指定せずに、ＩＰ電話端末から接続要求が行われた際に、接続要求が行われたＩＰ電話端末の内線番号および収容するＩ／Ｆ基板を決定する方法である。
【０００６】
第３の方法は、ＩＰ電話端末から接続要求が行われた際に、予め保守端末で設定したＩＰ電話端末用の内線番号が存在しない場合、自動でＩＰ電話端末用の内線番号および収容するＩ／Ｆ基板を決定する方法である（例えば特許文献１）。
【特許文献１】特開２００４−３３６１３９公報。
【発明の開示】
【発明が解決しようとする課題】
【０００７】
ところで、上述した第１の方法では、収容するＩ／Ｆ基板を、別途保守端末を用いて指定しなければならない。また、第２、第３の方法では、複数のＩ／Ｆ基板の内、若番のＩ／Ｆ基板から順次ＩＰ電話端末の収容を行う。このため、若番のＩ／Ｆ基板であればあるほど、ＩＰ電話端末が優先的に収容され、負荷が集中する課題がある。また、Ｉ／Ｆ基板には、ＩＰ−ＱＳＩＧを収容する機能が備えられているが、Ｉ／Ｆ基板ごとにＩＰ−ＱＳＩＧが収容されているかの判別を行わずに若番のＩ／Ｆ基板から収容を行うので、Ｉ／Ｆ基板でＩＰ−ＱＳＩＧが収容されているＩ／Ｆ基板にＩＰ電話端末を収容すると、さらに負荷が集中することになる。
【０００８】
そこで、この発明の目的は、Ｉ／Ｆ基板ごとに収容されている収容数を単独で管理し、負荷を分散して収容を行うことが可能なボタン電話装置、電話交換装置、および収容方法を提供することにある。
【課題を解決するための手段】
【０００９】
上記目的を達成するために、本願発明の一態様によれば、電話端末を収容するための複数のインターフェース手段を備えたボタン電話装置であって、前記複数のインターフェース手段ごとの収容状況を分析する分析手段と、前記分析手段によって分析された収容状況を収容数情報として記憶する記憶手段と、前記電話端末からの接続要求があった場合は、前記記憶手段に記憶されている収容数情報に基づいて、前記複数のインターフェース手段のうち、最も収容数の少ないインターフェース手段を選択する選択手段と、前記選択手段によって選択されたインターフェース手段に接続要求があった前記電話端末を収容する収容手段とを具備することを特徴とするボタン電話装置が提供される。
【発明の効果】
【００１０】
この発明によれば、Ｉ／Ｆ基板ごとに収容されている収容数を単独で管理し、負荷を分散して収容を行うことが可能なボタン電話装置、電話交換装置、および収容方法を提供することができる。
【発明を実施するための最良の形態】
【００１１】
以下、この発明の一実施形態について図面を参照して詳細に説明する。  
図１は、この発明に係わるボタン電話装置を適用したシステム構成を示す概略構成図である。
【００１２】
本システムは、例えばＬＡＮ（Local Area Network）２０を有する。ＬＡＮ２０には、ボタン電話装置１０、ＩＰ網３０、複数のＩＰ電話端末４０が接続されている。なお、ＩＰ電話端末（情報端末）４０は、通話処理機能等を備えた電話端末である。また、ＩＰ網３０を介してＩＰ−ＱＳＩＧ、ＰＣ（Personal Computer）等も接続される。
【００１３】
ボタン電話装置１０は、ＩＰ電話端末４０またはＩＰ−ＱＳＩＧの収容を行うための専用のインターフェース基板（インターフェース手段、以下、Ｉ／Ｆ基板と称す）を有する。例えば、３つのＩ／Ｆ基板１，２，３（１１ａ、１１ｂ、１１ｃ）を有するものとする。また、ボタン電話装置１０は、Ｉ／Ｆ基板１，２，３（１１ａ、１１ｂ、１１ｃ）に接続された端末が収容されている収容状況を分析する収容先分析手段を備えた制御手段１２と、収容先分析手段により分析されたＩＰ電話端末４０およびＩＰ−ＱＳＩＧの収容状況を収容数情報として記憶するデータベース１３とを有する。
【００１４】
次に、本発明のボタン電話装置を適用した電話端末の収容方法について説明する。
【００１５】
図２は、ボタン電話装置が備えるＩ／Ｆ基板の収容状況の分析手順を示すフローチャートである。また、図４は、ボタン電話装置１０のデータベース１３記憶される、Ｉ／Ｆ基板の優先度および収容状況の分析結果を示す模式図である。なお、Ｉ／Ｆ基板Ｎｏ．としては、Ｉ／Ｆ基板１（１１ａ）を「１」、Ｉ／Ｆ基板２（１１ｂ）を「２」、Ｉ／Ｆ基板３（１１ｃ）を「３」としている。
【００１６】
ボタン電話装置１０のデータベース１３には予め、Ｉ／Ｆ基板の優先度を優先度情報として設定、記憶されている。例えば、Ｉ／Ｆ基板１（１１ａ）には「中」、Ｉ／Ｆ基板２（１１ｂ）には「高」、Ｉ／Ｆ基板３（１１ｃ）には「低」として設定する（図４の「自動収容選択優先度」欄を参照）。なお、優先度は、「低」＜「中」＜「高」の順番に高くなるものとする。
【００１７】
また、ＩＰ電話端末およびＩＰ−ＱＳＩＧの合計の収容数の最大数も予め「収容可能最大数」として設定、記憶されている。例えば、Ｉ／Ｆ基板１，２，３（１１ａ、１１ｂ、１１ｃ）のそれぞれには、収容可能最大数は「１６」として設定されている（図４の「収容可能最大数」欄を参照）。
【００１８】
ボタン電話装置１０の制御手段１２が備える収容先分析手段１２ａは、ボタン電話装置１０が備えるそれぞれのＩ／Ｆ基板の収容状況を分析する（図２のステップＳ１）。このとき、Ｉ／Ｆ基板の収容状況の分析は、ＩＰ電話端末４０およびＩＰ−ＱＳＩＧについて行う。なお、例えばＩＰ−ＱＳＩＧの収容数「１」は、ＩＰ電話端末の収容数の「８」（８ポート分）に相当するものとする。
【００１９】
収容先分析手段１２ａは、分析した収容状況を収容数情報としてボタン電話装置１０のデータベース１３に記憶する（図２のステップＳ２）。
【００２０】
分析結果としては、例えば、Ｉ／Ｆ基板１（１１ａ）のＩＰ電話端末の収容数は、「９」、ＩＰ−ＱＳＩＧの収容数は、「０」であり（図４の「現在のＩＰ電話端末の収容数」欄、および「現在のＩＰ−ＱＳＩＧの収容数」欄を参照）、ＩＰ電話端末およびＩＰ−ＱＳＩＧの合計の収容数は、９＋０＝９となる。また、Ｉ／Ｆ基板２（１１ｂ）のＩＰ電話端末の収容数は、「０」、ＩＰ−ＱＳＩＧの収容数は、「１（８ポート）」であり、ＩＰ電話端末およびＩＰ−ＱＳＩＧの合計の収容数は、０＋８＝８となる。また、Ｉ／Ｆ基板３（１１ｃ）のＩＰ電話端末の収容数は、「８」、ＩＰ−ＱＳＩＧの収容数は、「０」であり、ＩＰ電話端末およびＩＰ−ＱＳＩＧの合計の収容数は、８＋０＝８となる。
【００２１】
図３は、ボタン電話装置にＩＰ電話端末４０から接続要求があった場合の収容手順を示すフローチャートである。
【００２２】
ボタン電話装置１０の制御手段１２は、ＩＰ電話端末４０から接続要求があるかの監視状態にあり（図３のステップＳ１０）、ＩＰ電話端末４０から接続要求があると判別すると（図３のステップＳ１０のＹＥＳ）、ボタン電話装置１０のデータベース１３に記憶されている収容数情報に基づいて、ＩＰ電話端末の収容数とＩＰ−ＱＳＩＧの収容数との和を求め、最小となるＩ／Ｆ基板を選択する（図３のステップＳ１１）。ステップＳ１１で、ＩＰ電話端末の収容数とＩＰ−ＱＳＩＧの収容数との和を求め、最小となるＩ／Ｆ基板が１つであれば、接続要求があったＩＰ電話端末へ接続応答を行い、当該ＩＰ電話端末４０を選択されたＩ／Ｆ基板に収容する（図３のステップＳ１４）。
【００２３】
一方、ステップＳ１１で、ＩＰ電話端末の収容数とＩＰ−ＱＳＩＧの収容数との和を求め、最小となるＩ／Ｆ基板が２つ以上であれば、ＩＰ−ＱＳＩＧの収容数が最小となるＩ／Ｆ基板を選択する（図３のステップＳ１２）。ステップＳ１２で、ＩＰ−ＱＳＩＧの収容数が最小となるＩ／Ｆ基板が１つであれば、接続要求があったＩＰ電話端末へ接続応答を行い、当該ＩＰ電話端末４０を選択されたＩ／Ｆ基板に収容する（図３のステップＳ１４）。
【００２４】
一方、ステップＳ１２で、ＩＰ−ＱＳＩＧの収容数が最小となるＩ／Ｆ基板が２つ以上であれば、「自動収容選択優先度」が一番高いＩ／Ｆ基板を選択する（図３のステップＳ１３）。接続要求があったＩＰ電話端末へ接続応答を行い、当該ＩＰ電話端末４０を選択されたＩ／Ｆ基板に収容する（図３のステップＳ１４）。
【００２５】
次に、ボタン電話装置１０の制御手段１２が備える収容先分析手段１２ａがＩ／Ｆ基板の収容状況を分析する際（図２のステップＳ１）、優先度情報である「自動収容選択優先度」（図４参照）を更新する場合について説明する。
【００２６】
収容先分析手段１２ａは、ＩＰ電話端末およびＩＰ−ＱＳＩＧの収容数情報に基づいて、ＩＰ−ＱＳＩＧが収容されているＩ／Ｆ基板の優先度情報を低く設定する。例えば、収容先分析手段１２ａによって、分析時に、ＩＰ−ＱＳＩＧの収容数が「１」であるＩ／Ｆ基板２（１１ｂ）の優先度情報である「自動収容選択優先度」を「高」から「中」に低くして更新する。このとき、「自動収容選択優先度」は同じ設定にならないように更新される（例えば、「低」を２つのＩ／Ｆ基板に設定する等）。
【００２７】
また、以下のような形態も考えられる。すなわち、ＩＰ−ＱＳＩＧ収容されているＩ／Ｆ基板の優先度情報を、ＩＰ−ＱＳＩＧが収容されていないＩ／Ｆ基板の優先度情報よりも低く設定する。例えば、収容先分析手段１２ａによって、分析時に、ＩＰ−ＱＳＩＧの収容数が「１」であるＩ／Ｆ基板２（１１ｂ）の優先度情報である「自動収容選択優先度」を「高」から「低」に低くして更新し、ＩＰ−ＱＳＩＧの収容数が「０」であるＩ／Ｆ基板３（１１ｃ）の「自動収容選択優先度」を「低」から「高」に高くして更新する。
【００２８】
この際、ＩＰ−ＱＳＩＧの収容数が「０」であるＩ／Ｆ基板は、Ｉ／Ｆ基板１（１１ａ）とＩ／Ｆ基板３（１１ｃ）であるが、ＩＰ電話端末の収容数が低いＩ／Ｆ基板３（１１ｃ）の「自動収容選択優先度」を更新しているが、任意に変更可能である。また、同様に「自動収容選択優先度」は同じ設定にならないように更新される（例えば、「高」を２つのＩ／Ｆ基板に設定する等）。
【００２９】
以上より、ボタン電話装置または電話交換装置が備えるＩ／Ｆ基板ごとに収容されている収容数をボタン電話装置を用いて単独で管理し、負荷を分散して収容を行うことができる。
【００３０】
また、ＩＰ−ＱＳＩＧが収容されているＩ／Ｆ基板に対しての優先度を低くし、比較的負荷が高い当該Ｉ／Ｆ基板への負荷の集中を下げることも可能となる。
【００３１】
（その他の実施形態）
図５は、この発明に係わる電話交換機を適用したシステム構成を示す概略構成図である。電話交換機１００の構成は、上述した図１のボタン電話装置１０と同様の構成であり、図１に示したボタン電話装置１０に換わって電話交換機１００を用いた場合にも同様の作用、効果が得られる。
【００３２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３３】
【図１】この発明に係わるボタン電話装置を適用したシステム構成を示す概略構成図。
【図２】ボタン電話装置が備えるＩ／Ｆ基板の収容状況の分析手順を示すフローチャート。
【図３】ボタン電話装置にＩＰ電話端末から接続要求があった場合の収容手順を示すフローチャート。
【図４】図４は、ボタン電話装置のデータベース記憶される、Ｉ／Ｆ基板の優先度および収容状況の分析結果を示す模式図。
【図５】この発明に係わる電話交換機を適用したシステム構成を示す概略構成図。
【符号の説明】
【００３４】
１０…ボタン電話装置、１１ａ…Ｉ／Ｆ基板１、１１ｂ…Ｉ／Ｆ基板２、１１ｃ……Ｉ／Ｆ基板３、１２…制御手段、１２ａ…収容先分析手段、１３…データベース、２０…ＬＡＮ、３０…ＩＰ網、４０…ＩＰ電話端末、１００…電話交換装置。
【図１】
2007013522.tif 000003
【図２】
2007013522.tif 000004
【図３】
2007013522.tif 000005
【図４】
2007013522.tif 000006
【図５】
2007013522.tif 000007